(57)【要約】【課題】金属製補強板の大きさ（幅）を小さくすることで材料コストを下げることができ、それでいて大きな強度落ちもないスノーダンプ用雪掬い具を提供すること。【解決手段】プラスチック製バケット１の先端部の表裏に断面Ｕ字状の金属製補強板２を被嵌係止したスノーダンプ用雪掬い具において、前記金属製補強板２をバケット１先端部の全幅に被嵌せず、中央部所定範囲に被嵌係止し、この金属製補強板２が被嵌されないバケット１先端部の左右部は、肉厚を厚く形成して強度を付与せしめたスノーダンプ用雪掬い具。【選択図】　　　　図１
2004027786.tif 000002
【特許請求の範囲】
【請求項１】
プラスチック製バケットの先端部の表裏に断面Ｕ字状の金属製補強板を被嵌係止したスノーダンプ用雪掬い具において、前記金属製補強板をバケット先端部の全幅に被嵌せず、中央部所定範囲に被嵌係止し、この金属製補強板が被嵌されないバケット先端部の左右部は、肉厚を厚く形成して強度を付与せしめたことを特徴とするスノーダンプ用雪掬い具。
【請求項２】
前記金属製補強板は、前記バケット先端部の全幅に対する２／３程度の幅を有するように構成したことを特徴とする請求項１記載のスノーダンプ用雪掬い具。
【請求項３】
前記金属製補強板が被嵌されない前記バケット先端部の左右部に、バケット先端部の中央部の二倍程度の厚みを有する肉厚部分を一体成形することで、このバケット先端部の左右部に強度を付与せしめたことを特徴とする請求項１記載のスノーダンプ用雪掬い具。
【発明の詳細な説明】
【０００１】
【発明の属する技術分野】
本発明は、スノーダンプ用雪掬い具に関するものである。
【０００２】
【従来の技術及び発明が解決しようとする課題】
軽量で使い易いプラスチック製の雪掬い具を備えたスノーダンプが多用されているが、このプラスチック製の雪掬い具は、強度的な弱点を補うためにバケットの先端部の全幅の表裏に断面Ｕ字状の金属製補強板を被嵌係止して補強した構成となっている。
【０００３】
本発明は、このようなプラスチック製のスノーダンプ用雪掬い具の改良に係るもので、金属製補強板の大きさ（幅）を小さくすることで材料コストを下げることができ、それでいて大きな強度落ちもない画期的なスノーダンプ用雪掬い具を提供するものである。
【０００４】
【課題を解決するための手段】
添付図面を参照して本発明の要旨を説明する。
【０００５】
プラスチック製バケット１の先端部の表裏に断面Ｕ字状の金属製補強板２を被嵌係止したスノーダンプ用雪掬い具において、前記金属製補強板２をバケット１先端部の全幅に被嵌せず、中央部所定範囲に被嵌係止し、この金属製補強板２が被嵌されないバケット１先端部の左右部は、肉厚を厚く形成して強度を付与せしめたことを特徴とするスノーダンプ用雪掬い具に係るものである。
【０００６】
また、前記金属製補強板２は、前記バケット１先端部の全幅に対する２／３程度の幅を有するように構成したことを特徴とする請求項１記載のスノーダンプ用雪掬い具に係るものである。
【０００７】
また、前記金属製補強板２が被嵌されない前記バケット１先端部の左右部に、バケット１先端部の中央部の二倍程度の厚みを有する肉厚部分３を一体成形することで、このバケット１先端部の左右部に強度を付与せしめたことを特徴とする請求項１記載のスノーダンプ用雪掬い具に係るものである。
【０００８】
【発明の実施の形態】
好適と考える本発明の実施の形態（発明をどのように実施するか）を、図面に基づいてその作用効果を示して簡単に説明する。
【０００９】
本発明では、金属製補強板２がバケット１先端部の全幅になく、中央部所定範囲に被嵌係止している。そのため、金属製補強板２は、従来品に比して幅の小さいもので良く、それだけ金属製補強板２を材料コスト安に構成できる。
【００１０】
また、この金属製補強板２が被嵌されないバケット１先端部の左右部においては、肉厚を厚く形成することで強度を付与しているため、従来品に比して大きな強度落ちがなく、しかもこの肉厚部分３は、例えばバケット１成形に際して簡単に一体成形することもできるために量産性を損なうこともないし、この場合肉厚にするための樹脂を若干増量するだけで良いため、さほどのコスト増ともならず、安価に構成可能となる。
【００１１】
従って、金属製補強板２にかけるコストを削減でき、強度を補うための肉厚部分３を形成するにあたって大幅なコスト増を要しないようにもできるために、従来品よりも安価な製品を構成・提供できることになり、尚且つ金属製補強板２を小さくする構成でありながら、大きな強度落ちがないなど、極めて実用性に秀れた画期的なスノーダンプ用雪掬い具となる。
【００１２】
また、例えば、前記金属製補強板２は、前記バケット１先端部の全幅に対して２／３程度の幅を有するように構成すれば、バケット１先端部の中央部の約２／３が金属製補強板２によって被嵌係止されるため、強度的な損失は小さく、尚且つこの金属製補強板２のない左右部は上記したように肉厚を厚くして強度を補うために、バケット１先端部の全幅に金属製補強板２が被嵌係止する従来品と略同等の強度を発揮することになり、一層実用的となる。
【００１３】
また、例えば、前記金属製補強板２が被嵌されない前記バケット１先端部の左右部に、バケット１先端部の中央部の二倍程度の厚みを有する肉厚部分３を一体形成することで、このバケット１先端部の左右部に強度を付与せしめれば、金属製補強板２のないバケット１先端部の左右部（肉厚部分３）は良好な強度を発揮することになり、且つこの肉厚部分３はバケット１成形に際して容易に一体成形できるし、成形に要する材料使用量もさほど増量せず、安価に構成可能となるなど、一層実用的となる。
【００１４】
【実施例】
本発明の具体的な実施例について図面に基づいて説明する。
【００１５】
本実施例は、図１に示すようなスノーダンプに用いられる雪掬い具に係るもので、プラスチック製バケット１の先端部の表裏に断面Ｕ字状の金属製補強板２を被嵌係止すると共に、この金属製補強板２をバケット１先端部の全幅に被嵌せず、中央部所定範囲に被嵌係止している。
【００１６】
具体的に説明すると、横長の金属製補強板２はステンレス板を採用し、その表裏面には、図１，図２に示すように略全面部に渡って横長ハシゴ状の補強リブ４（ビード）を一体的に形成して強度を高めている。
【００１７】
また、この金属製補強板２は、前記バケット１先端部の全幅に対して２／３程度の幅を有するように構成している。
【００１８】
更に説明すると、本実施例は、例えば、バケット１先端部の全幅を５８０ｍｍ程度に設定しているのに対し、金属製補強板２の全幅は３９０ｍｍ程度に設定している。
【００１９】
この金属製補強板２のバケット１先端部への取り付け構造を説明すると、Ｕ字状の金属製補強板２をバケット１先端部の中央部に被嵌した上、金属製補強板２の中央部と左右部との計三箇所にリベットなどの止着具５を上下方向に貫通止着することで取り付けしている。図中符号６はバケット１先端部に形成された止着具５を貫通するための貫通孔、７は金属製補強板２に形成された前記貫通孔６に合わせて止着具５を貫通するための合わせ孔である。
【００２０】
また、本実施例では、この金属製補強板２が被嵌されないバケット１先端部の左右部の肉厚を厚く形成して強度を付与した構成としている。
【００２１】
具体的に説明すると、金属製補強板２が被嵌されないこのバケット１先端部の左右部に、バケット１先端部の中央部の二倍程度の厚みを有する肉厚部分３を一体成形してこのバケット１先端部の左右部に強度を付与した構成としている。
【００２２】
更に説明すると、本実施例は、例えば、バケット１先端部の中央部の厚みを約１．５〜２ｍｍ程度に設定しているのに対し、左右の肉厚部分３は３．５ｍｍ程度に設定している。
【００２３】
また、このバケット１先端部左右の肉厚部分３は、前側上面が後傾斜面となり、後側上面が前傾斜面となる山形の突部に一体成形して構成し、これにより雪をバケット１で掬い取った際やバケット１内の雪を排出する際に、肉厚部分３の傾斜面が雪の滑動の抵抗となりにくく、スムーズな除雪作業が行われるように構成している。
【００２４】
そして、この肉厚部分３の最も厚みのある部位（山形の頂部の存する部位）が、バケット１先端部の中央部の二倍程度の肉厚を有するように構成している。
【００２５】
本実施例は上述のように、金属製補強板２の幅を設定すると共に、肉厚部分３の厚みを設定したために、金属製補強板２のないバケット１先端部の強度的な損失が小さく、尚且つ左右の肉厚部分３に適当な強度が得られることになる。このことは、出願人の試作実験により確認されている。また、山形の肉厚部分３は、バケット１を樹脂成形する際に容易に一体成形可能であるため、従来品に比して量産性を損なうことがない。
【００２６】
また、本実施例では、図３に示すようにバケット１先端部の前記金属製補強板２の後側縁部に臨設することとなる位置に、位置決め用凸条８を一体成形している。
【００２７】
従って、これにより金属製補強板２をバケット１先端部に取り付けする際には、先ず金属製補強板２をバケット１先端部に被嵌すると、左右の肉厚部分３と位置決め用凸条８とに囲まれていることによってこの金属製補強板２が位置決められた仮止め状態となるため、その後の止着具５による止着作用が容易に行われることになる構成としている。
【００２８】
図中符号９はスノーダンプの把手である。
【００２９】
尚、本発明は、本実施例に限られるものではなく、各構成要件の具体的構成は適宜設計し得るものである。
【００３０】
【発明の効果】
本発明は上述のように構成したから、金属製補強板を小さくする構成でありながら、バケット先端左右部に肉厚部分を形成したことで大きな強度落ちを生じることがなく、また、金属製補強板は小型のもので良いために、従来品に比してこの金属製補強板にかけるコストを削減できるし、強度を補うための前記肉厚部分を形成するにあたって大幅なコスト増を要しないようにすることもできるため、総じて従来品よりも安価な製品を構成・提供できることになる極めて実用性に秀れた画期的なスノーダンプ用雪掬い具となる。
【００３１】
また、請求項２記載の発明においては、バケット先端部の中央部の約２／３が金属製補強板によって被嵌係止されるため、強度的な損失は小さく、尚且つこの金属製補強板のない左右部は上記したように肉厚を厚くして強度を補うために、バケット先端部の全幅に金属製補強板が被嵌係止する従来品と略同等の強度を発揮することになるなど、一層実用性に秀れた構成のスノーダンプ用雪掬い具となる。
【００３２】
また、請求項３記載の発明においては、金属製補強板のないバケット先端部の左右部（肉厚部分）が極めて良好な強度を発揮し、且つこの肉厚部分はバケット成形に際して容易に一体成形できるし、成形に要する材料使用量もさほど増量せず、安価に構成可能となるなど、一層実用性に秀れた構成のスノーダンプ用雪掬い具となる。
【図面の簡単な説明】
【図１】本実施例の雪掬い具を使用して構成したスノーダンプを示す斜視図である。
【図２】本実施例の要部の分解斜視図である。
【図３】本実施例の要部の側断面図である。
【符号の説明】
１　バケット
２　金属製補強板
３　肉厚部分
【図１】
2004027786.tif 000003
【図２】
2004027786.tif 000004
【図３】
2004027786.tif 000005